(57)【特許請求の範囲】
【請求項１】
電子レンジを利用して調理を行うものを含む複数種類の冷凍されたおかずが、互いに仕切られた複数の収納室を有する容器に、個別に収納されている容器入り冷凍食品セットであって、
前記容器は、前記複数の収納室の一部である第１収納室が配置される第１領域と、前記第１領域に対して手を使って切断可能な第１分離補助部を介して接続されており、前記複数の収納室の一部であって前記第１収納室とは異なる第２収納室が配置される第２領域と、を有し、
前記複数種類の冷凍されたおかずのうち前記第１収納室に収納された第１のおかずは、前記第２収納室に収納された第２のおかずとは、電子レンジによる調理時間が異なり、
前記第１領域には、前記第１のおかずの電子レンジによる調理時間が記載されており、
前記第２領域には、前記第２のおかずの電子レンジによる調理時間が記載されていることを特徴とする容器入り冷凍食品セット。
【請求項２】
前記第１又は第２領域には、前記複数種類の冷凍されたおかずのうち、電子レンジによる調理時間が同じである２種類以上のおかずを個別に収納する２つ以上の前記第１又は第２収納室が配置されていることを特徴とする請求項１に記載の容器入り冷凍食品セット。
【請求項３】
前記容器は、前記第１又は第２領域に対して手を使って切断可能な第２分離補助部を介して接続されており、前記複数の収納室の一部であって前記第１及び第２収納室とは異なる第３収納室が配置される第３領域をさらに有し、
前記第３収納室に収納された第３のおかずは、自然解凍して食するおかずであることを特徴とする請求項１又は請求項２に記載の容器入り冷凍食品セット。
【請求項４】
前記第２のおかずは、前記第１のおかずより、電子レンジによる調理時間が長く、
前記第１のおかずは野菜類を含み、前記第２のおかずは肉類又は魚貝類を含むことを特徴とする請求項１から請求項３までのいずれかに記載の容器入り冷凍食品セット。
【請求項５】
前記複数種類の冷凍されたおかずには、緑色のおかず、赤色又はオレンジ色のおかず、黒色又は褐色のおかず、及び白又は淡色のおかずのうちから選択される少なくとも３種類以上のおかずが含まれることを特徴とする請求項１から請求項４までのいずれかに記載の容器入り冷凍食品セット。
【請求項６】
前記複数種類の冷凍されたおかずには、立方体又は直方体形状のおかず、線状又は棒状のおかず、円錐又は三角形状のおかず、球形又は円形状のおかず、及び星又は扇形状のおかずのうちから選択される少なくとも３種類以上のおかずが含まれることを特徴とする請求項１から請求項５までのいずれかに記載の容器入り冷凍食品セット。
【請求項７】
前記容器は、前記複数の収納室の開口を封止するカバーシートを有しており、
前記カバーシートには、前記複数種類の冷凍されたおかずの盛りつけ例が表示されていることを特徴とする請求項１から請求項６までのいずれかに記載の容器入り冷凍食品セット。
【発明の詳細な説明】
【技術分野】
【０００１】
本発明は、お弁当のおかずを簡単に準備できる容器入り冷凍食品セットに関する。
【背景技術】
【０００２】
近年、手軽に家庭で調理できるお弁当用のおかずとして、容器に入ったまま電子レンジで調理することで、簡単にできあがる調理加工済みの冷凍食品が提案されている（特許文献１等参照）。このような調理加工済みの冷凍食品は、特に働きながら子育てを行う多忙な主婦にとって、朝早く子供のために用意するお弁当の調理時間を短縮できるものとして、注目を集めている。
【０００３】
しかしながら、従来の冷凍食品は、例えばハンバーグのような１種類のおかずが容器に収納されたものであるため、栄養バランスや美味しさを考慮して、おかずの種類が多いお弁当を完成させるには、冷凍食品以外のおかずを調理して組み合わせたり、冷凍食品を複数購入する必要があった。
【先行技術文献】
【特許文献】
【０００４】
【特許文献１】特開２００３−５４６４４号公報
【発明の概要】
【発明が解決しようとする課題】
【０００５】
しかし、従来のような冷凍食品を複数購入する場合、費用がかさむうえ、１食のお弁当に使い切れない量の冷凍食品を購入する必要があり、余ったものを保存する必要が生じるなどの問題がある。また、冷凍食品以外のおかずを調理して、冷凍食品と組み合わせてお弁当を作る場合、冷凍食品を使わない場合と大差ない労力が必要となるという問題がある。
【０００６】
本発明は、このような実状に鑑みてなされ、お弁当のおかずを簡単に調理できる容器入り冷凍食品セットを提供することである。
【課題を解決するための手段】
【０００７】
上記目的を達成するために、本発明に係る容器入り冷凍食品セットは、
電子レンジを利用して調理を行うものを含む複数種類の冷凍されたおかずが、互いに仕切られた複数の収納室を有する容器に、個別に収納されている容器入り冷凍食品セットであって、
前記容器は、前記複数の収納室の一部である第１収納室が配置される第１領域と、前記第１領域に対して手を使って切断可能な第１分離補助部を介して接続されており、前記複数の収納室の一部であって前記第１収納室とは異なる第２収納室が配置される第２領域と、を有し、
前記複数種類の冷凍されたおかずのうち前記第１収納室に収納された第１のおかずは、前記第２収納室に収納された第２のおかずとは、電子レンジによる調理時間が異なることを特徴とする。
【０００８】
本発明に係る容器入り冷凍食品セットは、調理時間が異なる第１のおかずと第２のおかずが、第１領域の第１収納室と第２領域の第２収納室に分けて収納されている。電子レンジによる調理時間の異なるおかずが組み合わせられることにより、本発明に係る容器入り冷凍食品セットは、バリエーションに富んだおかずを収納することが可能であり、これを用いることにより、多種類のおかずを有するお弁当を、容易に作ることができる。また、冷凍食品を調理する場合、第１分離補助部を切断して第１領域と第２領域を分け、それぞれを別個に電子レンジに投入することにより、第１及び第２のおかずを容器に入れたまま、それぞれのおかずに適切な時間の間、電子レンジを用いた調理を行うことができる。
【０００９】
また、例えば、前記第１又は第２領域には、前記複数種類の冷凍されたおかずのうち、電子レンジによる調理時間が同じである２種類以上のおかずを個別に収納する２つ以上の前記第１又は第２収納室が配置されていても良い。
【００１０】
第１領域又は第２領域に、調理時間が同じである２種類以上のおかずを収納することにより、調理の容易さを維持したままでおかずの種類を増やすことができる。また、おかずごとに分けて収納されているため、電子レンジで調理した時に、異なるおかず同士で調味料などが混ざってしまうことを防止するとともに、調理後に、お弁当箱に素早く盛りつけることができる。
【００１１】
また、例えば、前記第１領域には、前記第１のおかずの電子レンジによる調理時間が記載されていてもよく、
前記第２領域には、前記第２のおかずの電子レンジによる調理時間が記載されていてもよい。
【００１２】
このような容器入り冷凍食品セットは、第１領域及び第２領域に、それぞれの領域に収納されたおかずの調理時間が記載されているため、調理の際に、調理時間を間違えることを防止できる。
【００１３】
前記容器は、前記第１又は第２領域に対して手を使って切断可能な第２分離補助部を介して接続されており、前記複数の収納室の一部であって前記第１及び第２収納室とは異なる第３収納室が配置される第３領域をさらに有してもよい、
前記第３収納室に収納された第３のおかずは、自然解凍して食するおかずであってもよい。
【００１４】
このような容器入り冷凍食品セットを用いれば、自然解凍のおかずを含む、さらにバリエーションに富むおかずを組み合わせたお弁当を、容易に準備することができる。
【００１５】
また、例えば、前記第２のおかずは、前記第１のおかずより、電子レンジによる調理時間が長くてもよく、
前記第１のおかずは野菜類を含み、前記第２のおかずは肉類又は魚貝類を含んでもよい。
【００１６】
このような容器入り冷凍食品セットは、従来は、調理時間が異なるために一つの容器に収納することが難しかった野菜類と肉類又は魚貝類の冷凍食品を含むため、これを用いることにより、栄養バランスが良く、多様な味のおかずを含むお弁当を、容易に作製することができる。
【００１７】
また、例えば、前記複数種類の冷凍されたおかずには、緑色のおかず、赤色又はオレンジ色のおかず、黒色又は褐色のおかず、及び白又は淡色のおかずのうちから選択される少なくとも３種類以上のおかずが含まれてもよい。
【００１８】
このような容器入り冷凍食品セットを用いることにより、栄養バランスが良く、彩りが美しいお弁当を、容易に作製することができる。
【００１９】
また、例えば、前記複数種類の冷凍されたおかずには、立方体又は直方体形状のおかず、線状又は棒状のおかず、円錐又は三角形状のおかず、球形又は円形状のおかず、及び星又は扇形状のおかずのうちから選択される少なくとも３種類以上のおかずが含まれてもよい。
また、例えば、前記容器は、前記複数の収納室の開口を封止するカバーシートを有してもよく
前記カバーシートには、前記複数種類の冷凍されたおかずの盛りつけ例が表示されていてもよい。
【００２０】
このような容器入り冷凍食品セットを用いることにより、見た目が美しく、食感のバリエーションにも富むお弁当を、容易に作製することができる。また、これを用いることにより、お弁当の見た目を子供の好きなキャラクターやモチーフ等に模した、いわゆるキャラ弁を簡単に作製することができる。
【図面の簡単な説明】
【００２１】
【図１】図１は、本発明の一実施形態に係る容器入り冷凍食品セットを表す概略斜視図である。
【図２】図２は、図１に示す容器の一部を分離した状態を表す概念図である。
【図３】図３は、図１に示す冷凍食品セットを用いて作製したお弁当の一例を表す概略斜視図である。
【図４】図４は、本発明の他の実施形態に係る容器入り冷凍食品セットに含まれるおかずを表す概念図である。
【図５】図５は、図４に示す容器入り冷凍食品セットに含まれるおかずを用いて作製したお弁当の一例を表す平面図である。
【発明を実施するための形態】
【００２２】
以下、本発明に係る容器入り冷凍食品セットを、図面に示す実施形態に基づき、詳細に説明する。
【００２３】
図１は、本発明の一実施形態に係る容器入り冷凍食品セット１０を表す概略斜視図である。容器入り冷凍食品セット１０は、互いに仕切られた複数の収納室を有する容器２０と、複数の収納室のそれぞれに収納された複数種類の冷凍されたおかず（第１のおかず３２ａ、第２のおかず３２ｂ、第３のおかず３２ｃ）を有する。複数の収納室は、鍔部２３により容器２０の上面で接続されている。
【００２４】
容器２０は、第１領域２０ａと、第２領域２０ｂと、第３領域２０ｃとを有している。第１領域２０ａは、容器２０の中央に位置しており、第１領域２０ａの両側に、それぞれ第２領域２０ｂと第３領域２０ｃとが位置している。第２領域２０ｂは、第１領域２０ａに対して、手を使って切断可能な第１分離補助部２４を介して接続されており、第３領域２０ｃは、第１領域２０ａに対して、同じく手を使って切断可能な第２分離補助部２５を介して接続されている。第１分離補助部２４及び第２分離補助部２５は、鍔部２３に形成されている。
【００２５】
第１領域２０ａには、複数の収納室の一部である第１収納室２２ａが配置されており、第２領域２０ｂには、複数の収納室の一部であって第１収納室２２ａとは異なる第２収納室２２ｂが配置されており、第３領域２０ｃには、複数の収納室の一部であって第１収納室２２ａ及び第２収納室２２ｂとは異なる第３収納室２２ｃが配置されている。
【００２６】
第１領域２０ａの第１収納室２２ａには、第１のおかず３２ａが収納されており、第２領域２０ｂの第２収納室２２ｂには、第２のおかず３２ｂが収納されており、第３領域２０ｃの第３収納室２２ｃには、第３のおかず３２ｃが収納されている。第１のおかず３２ａ、第２のおかず３２ｂは、いずれも電子レンジを用いて調理するおかずであるが、第１のおかず３２ａは、第２のおかず３２ｂとは電子レンジによる調理時間が異なる。また、第３のおかず３２ｃは、電子レンジを用いて調理する必要がなく、自然解凍させて食するおかずである。
【００２７】
容器２０は、上面からみて略矩形の開口を有する収納室（第１〜第３収納室２２ａ、２２ｂ、２２ｃ）が全部で６室形成されており、各収納室を鍔部２３が接続している容器本体２１と、第１〜第３収納室２２ａ、２２ｂ、２２ｃの開口を封止するカバーシート２６とを有している。カバーシート２６は、容器本体２１の鍔部２３に対して、接着、圧着又は融着等により固定される。カバーシート２６は、搬送中に第１〜第３収納室２２ａ、２２ｂ、２２ｃからおかずが飛び出してしまうことを防止するとともに、調理前に剥離量を調整して電子レンジに投入することにより、調理中における第１及び第２収納室２２ａ、２２ｂ内の湿気を調整したり、食材の飛散を防止する効果を奏する。
【００２８】
また、図１に示す例では、容器２０の第１領域２０ａ、第２領域２０ｂ及び第３領域２０ｃには、おなじ大きさの収納室２２ａ、２２ｂ、２２ｃが２つずつ配置されているが、収納室の形状、大きさ、数は特に限定されず、各領域２０ａ、２０ｂ、２０ｃ毎に異なっていてもよい。
【００２９】
容器２０の第１分離補助部２４は、一方の手で第１領域２０ａを掴み、他方の手で第２領域２０ｂを掴んだ状態で、第１領域２０ａと第２領域２０ｂとを引き離すことにより切断することが可能である（図２参照）。第１分離補助部２４は、第１収納室２２ａと第２収納室２２ｂとを接続する鍔部２３に、直線状に形成されている。第１分離補助部２４は、容器本体２１及びカバーシート２６に形成されたミシン線（直線状に配列された多数の小穴）により構成されている。容器２０の第２分離補助部２５は、第１領域２０ａと第３領域２０ｃの間に配置されていることを除き、第１分離補助部２４と同様の構成である。
【００３０】
容器本体２１の材質は、ポリプロピレン、ポリエチレン、ポリアミド等の樹脂材料や、電子レンジ耐用紙などを採用することができるが、おかずを収納したまま電子レンジ調理できるものであれば特に限定されない。また、カバーシート２６の材質も特に限定されず、ポリプロピレン、ポリエチレン、ポリアミド等の樹脂材料などを採用できる。
【００３１】
また、図１及び図２に示すように、容器２０の第１領域２０ａには、第１のおかず３２ａの電子レンジによる調理時間が記載されていることが好ましく、容器２０の第２領域２０ｂには、第２のおかず３２ｂの電子レンジによる調理時間が記載されていることが好ましい。このような記載により、調理者は、容器２０の第１領域２０ａ及び第２領域２０ｂを電子レンジに投入する際に、適切な調理時間を容易に確認できる。
【００３２】
第１領域２０ａは、互いに仕切られた２つの第１収納室２２ａを有しており、２つの第１収納室２２ａには、種類の違う第１のおかず３２ａが、それぞれ収納されている。２つの第１収納室２２ａに収納される２種類の第１のおかず３２ａは、電子レンジによる調理時間が同じであるおかず（図１では「５００Ｗ：４０秒」）で構成される。第１のおかず３２ａは、互いに調理時間が同じおかずの組み合わせであれば特に限定されないが、第２のおかず３２ｂより調理時間が短く、かつ、少なくとも１種類は野菜類を含むものであることが好ましい。図１に示す実施形態において、第１のおかず３２ａは、「焼き魚（切り身）」と「アスパラの肉巻き」である。
【００３３】
第２領域２０ｂも、第１領域２０ａと同様に、互いに仕切られた２つの第２収納室２２ｂを有しており、２つの第２収納室２２ｂには、種類の違う第２のおかず３２ｂが、それぞれ収納されている。２つの第２収納室２２ｂに収納される２種類の第２のおかず３２ｂは、電子レンジによる調理時間が同じであるおかず（図１では「５００Ｗ：６０秒」）で構成される。第２のおかず３２ｂは、お互いに調理時間が同じおかずの組み合わせであれば特に限定されないが、第１のおかず３２ａより調理時間が長く、かつ、少なくとも１種類は肉類又は魚貝類を含むものであることが好ましい。図１に示す実施形態において、第２のおかず３２ｂは、「鶏のチーズ巻き」と「鶏からあげ」である。
【００３４】
第３領域２０ｃも、第１領域２０ａ及び第２領域２０ｂと同様に、互いに仕切られた２つの第３収納室２２ｃを有しており、２つの第３収納室２２ｃには、種類の違う第３のおかず３２ｃが、それぞれ収納されている。２つの第３収納室２２ｃに収納される２種類の第３のおかず３２ｃは、電子レンジで調理しないで食するおかずで構成される。第３のおかず３２ｃは、好ましくは自然解凍して食べるおかずであり、例えば果物類又は野菜類を含むものであることが好ましい。図１に示す実施形態において、第３のおかず３２ｃは、「にんじん炒め」と「煮豆」である。なお、容器２０の第３領域２０ｃには、第３のおかず３２ｃが自然解凍して食するおかずである旨が記載されていることが好ましい。
【００３５】
以下に、容器入り冷凍食品セット１０を用いたお弁当の作製方法を説明する。まず、調理者は、図２に示すように、容器２０の第１分離補助部２４と第２分離補助部２５とを切断し、容器２０の第１領域２０ａ、第２領域２０ｂ、第３領域２０ｃを、互いに分離する。
【００３６】
次に、調理者は、容器２０の第１領域２０ａ及び第２領域２０ｂのカバーシート２６を、必要に応じて部分的に剥離するか、若しくは容器本体２１から完全に除去したのち、第１及び第２のおかず３２ａ、３２ｂを収納した状態のまま、第１領域２０ａ及び第２領域２０ｂのうちいずれか一方を、電子レンジに投入する。さらに、導入した領域に適した調理時間の間、電子レンジを作動させ調理を行う。
【００３７】
先に投入した方の調理が終了すると、調理が終わった領域を取り出し、今度は第１領域２０ａ及び第２領域２０ｂのうちいずれか他方を、電子レンジに投入する。後で投入した領域についても、その領域に適した調理時間の間、電子レンジを作動させ調理を行う。
【００３８】
次に、電子レンジによる調理が終わった第１及び第２のおかず３２ａ、３２ｂと、自然解凍の第３のおかず３２ｃについて、図３に示すようにごはん５４と一緒にお弁当箱５２に盛りつけることにより、お弁当５０が完成する。
【００３９】
このように、容器入り冷凍食品セット１０は、調理時間が異なるおかずが、互いに分離できる第１領域２０ａの第１収納室２２ａと、第２領域２０ｂの第２収納室２２ｂに分けて収納されているため、全く異なる食材を用いたおかずの組み合わせのような、バリエーションに富んだおかずを、１つの容器２０に収納することが可能である。そして、容器入り冷凍食品セット１０を用いることにより、多種類のおかずを有するお弁当を、容易に作ることができ、また、容器入り冷凍食品セット１０は、一食のお弁当の作製で使い切ることが可能であるため、無駄が生じにくく経済的である。また、たとえば、第１のおかず３２ａが、電子レンジでの調理時間の短い野菜類を含み、第２のおかず３２ｂが、電子レンジでの調理時間の長い肉類又は魚介類を含むことにより、容器入り冷凍食品セット１０を用いて、栄養バランスに配慮した、バリエーションに富んだお弁当５０を作製できる。
【００４０】
また、それぞれの領域２０ａ、２０ｂを、別個に電子レンジに投入することにより、第１及び第２のおかず３２ａ、３２ｂを容器２０に入れたまま、それぞれのおかずに適切な時間の間、電子レンジを用いた調理を行うことができる。また、同じ領域２０ａ、２０ｂに配置された複数の収納部２２ａ、２２ｂには、電子レンジによる調理時間が同じであって、種類の異なるおかず３２ａ、３２ｂが配置されているため、多種のおかずを素早く調理できる。
【００４１】
電子レンジに投入する際、必要に応じてカバーシート２６の剥離量を調整することにより、調理中における収納室２２ａ、２２ｂ内の湿気を調整し、調理された第１及び第２のおかず３２ａ、３２ｂに、美味しい食感を持たせることができる。また、各領域に調理時間が記載されていることにより、調理時間の間違えを防止できる。
【００４２】
また、第３収納室に収納されており、自然解凍により食する第３のおかず３２ｃを組み合わせることにより、容器入り冷凍食品セット１０は、バリエーションに富んだおかずを１つの容器２０に収納することが可能である。
【００４３】
図４は、第２実施形態に係る容器入り冷凍食品セット６０に含まれる複数種類の冷凍されたおかずの例を表す概念図である。
【００４４】
容器入り冷凍食品セット６０は、第１のおかず３２ａとして「アスパラの肉巻き」、「焼き魚（切り身）」、第２のおかず３２ｂとして「鶏のからあげ」、第３のおかずとして「にんじん（千切り）炒め」、「ミニキュウリの漬け物」、「ヤングコーン茹で」、「サツマイモ（イチョウ切り）茹で」、「ジャガイモ（角切り）茹で」、「ミニトマト（非加熱）」が、第１〜第３領域を有する容器に収納されている。容器自体については、収納部の数等が異なる他は、第１実施形態で説明した容器２０と同様であるため、説明を省略する。
【００４５】
容器入り冷凍食品セット６０は、単に調理時間や調理方法が異なるおかずを収納しているだけでなく、様々な形状のおかずを収納している。すなわち、容器入り冷凍食品セット６０は、線状のおかず６２として「にんじん（千切り）炒め」、円錐又は三角形状のおかず６３として「ヤングコーン茹で」、立方体又は直方体形状のおかず６４として「ジャガイモ（角切り）茹で」、棒状のおかず６５として「ミニキュウリの漬け物」、「アスパラの肉巻き」、星又は扇形状のおかず６６として「サツマイモ（イチョウ切り）茹で」、「焼き魚（切り身）」、球形又は円形状のおかず６７として「ミニトマト（非加熱）」、「鶏のからあげ」を含んでいる。
【００４６】
図５は、容器入り冷凍食品セット６０に含まれるおかずを用いて作製したお弁当７０を表す平面図である。お弁当７０は、猫のキャラクターを模した、いわゆるキャラ弁である。このように、容器入り冷凍食品セット６０のおかずに、多種類の形状を有するおかず、特に、立方体又は直方体形状のおかず、線状又は棒状のおかず、円錐又は三角形状のおかず、球形又は円形状のおかず、及び星又は扇形状のおかずのうちから選択される少なくとも３種類以上のおかずが含まれることにより、見た目が美しく、食感のバリエーションに富むお弁当を容易に作製することが可能であり、お弁当の見た目を子供の好きなキャラクターやモチーフ等に模した、いわゆるキャラ弁を簡単に作製することができる。
【００４７】
また、容器入り冷凍食品セット６０は、誰でも簡単に盛りつけが行えるように、例えば、カバーシート２６に盛りつけ例が表示されていても良い。
【００４８】
上述した容器入り冷凍食品セット１０、６０は、本発明の一態様にすぎず、様々な変更を加えることができる。例えば、本発明に係る容器入り冷凍食品セットは、２種類、３種類だけでなく、より多くの調理時間のおかずを組み合わせたものであっても良い。下記の例の中から、複数のおかずを組み合わせて、第１〜第３のおかずとすることができる。なお、各おかずに関する電子レンジでの調理時間は例示であり、同じおかずであっても、使用する食材、冷凍前の調理方法、形状、量などによって変化する。
【００４９】
・自然解凍のおかず
「卯の花」、「いんげん胡麻和え」、「きんぴら」、「ひじき煮物」、「切り干し大根」、「ほうれん草胡麻和え」
【００５０】
・電子レンジでの調理時間４０秒（出力５００Ｗの場合）のおかず
「エビフライ」、「ちくわ磯辺揚げ」、「白身魚フライ」、「ポテト肉巻」
【００５１】
・電子レンジでの調理時間５０秒（出力５００Ｗの場合）のおかず
「えび寄せフライ」、「ささみカツ」、「ほたて揚げ」、「とりつくね」、「牛肉コロッケ」、「イカの天ぷら」、「一口メンチかつ」
【００５２】
・電子レンジで調理時間６０秒（出力５００Ｗの場合）のおかず
「ほうれん草バター炒め」、「メンチカツ」、「鶏のから揚げ」、「ミニハンバーグ」
【００５３】
・電子レンジでの調理時間１分３０秒（出力５００Ｗの場合）のおかず
「ミニオムレツ」、「肉団子」、「クリームコロッケ」
【００５４】
・電子レンジでの調理時間１分５０秒（出力５００Ｗの場合）のおかず
「ラザニア」、「ソースとんかつ」、「若鶏チキン」、「牛肉コロッケ」
【００５５】
また、本発明に係る容器入り冷凍食品セットのおかずには、栄養バランスが良く、彩りが美しいお弁当を容易に作製できるように、緑色のおかず、赤色又はオレンジ色のおかず、褐色のおかず、黄色のおかず及び白又は淡色のおかずのうちから選択される少なくとも３種類以上のおかずが含まれてもよい。
【００５６】
例えば、緑色のおかずとしては、「ネギの酢味噌あえ」、「キュウリの漬け物」、「さやいんげん茹で」、「スナップエンドウ茹で」などが挙げられる。また、赤色又はオレンジ色のおかずとしては、「にんじん炒め」、「赤ウインナー」、「パプリカ炒め」、「トマト（加熱又は非加熱）」などが挙げられる。また、黒色又は褐色のおかずとしては「きんぴらごぼう」、「しいたけ茹で」、「チャーシュー」、「海苔」などが挙げられる。また、黄色のおかずとしては、「タマゴ焼き」、「油揚げ焼き」、「コーン茹で」、「ゆで卵（黄身）」などが挙げられる。白色又は淡色のおかずとしては、「ゆで卵（白身）」、「カリフラワー茹で」、「タマネギ炒め」、「はんぺん」などが挙げられる。
【００５７】
さらに、容器入り冷凍食品セットでは、健康に配慮したお弁当を簡単に作れるように、収納されたすべてのおかずの合計カロリー又は合計糖質量が、所定の値以下となるように、おかずが組み合わせられたものであってもよい。また、容器入り冷凍食品セットに含まれるおかずの種類を、各おかずの主食材で分けた場合、野菜類又は海藻類を含むおかずの品数が、肉類又は魚貝類を含むおかずの品数より多いことが好ましい。
【００５８】
なお、図１に示す容器２０の第１分離補助部２４及び第２分離補助部２５は、ミシン線で構成されるものに限定されず、たとえば容器本体２１における鍔部２３の一部の厚みを薄くすることにより形成されていてもよい。また、カバーシート２６は、予め第１領域２０ａ、第２領域２０ｂ、及び第３領域２０ｃの領域毎に分離した状態で、容器本体２１の鍔部２３に接着されていてもよい。
【符号の説明】
【００５９】
１０…容器入り冷凍食品セット
２０…容器
２０ａ…第１領域
２０ｂ…第２領域
２０ｃ…第３領域
２２ａ…第１収納室
２２ｂ…第２収納室
２２ｃ…第３収納室
２４…第１分離補助部
２５…第２分離補助部
２６…カバーシート
３２ａ…第１のおかず
３２ｂ…第２のおかず
３２ｃ…第３のおかず
【要約】
【課題】  お弁当のおかずを簡単に調理できる容器入り冷凍食品セットを提供する。
【解決手段】
電子レンジを利用して調理を行うものを含む複数種類の冷凍されたおかずが、互いに仕切られた複数の収納室（２２）を有する容器（２０）に、個別に収納されている容器入り冷凍食品セットであって、前記容器は、前記複数の収納室の一部である第１収納室（２２ａ）が配置される第１領域（２０ａ）と、前記第１領域に対して手を使って切断可能な第１分離補助部（２４）を介して接続されており、前記複数の収納室の一部であって前記第１収納室とは異なる第２収納室（２２ｂ）が配置される第２領域（２０ｂ）と、を有し、前記複数種類の冷凍されたおかずのうち前記第１収納室に収納された第１のおかず（３２ａ）は、前記第２収納室に収納された第２のおかず（３２ｂ）とは、電子レンジによる調理時間が異なることを特徴とする容器入り冷凍食品セット。
【選択図】図１【図１】
0005807798.tif 000002
【図２】
0005807798.tif 000003
【図３】
0005807798.tif 000004
【図４】
0005807798.tif 000005
【図５】
0005807798.tif 000006